(57)【要約】【課題】携帯端末機で再生中の音楽を便利に終了することができる携帯端末機における音楽再生終了装置及びその方法を提供する。【解決手段】携帯端末機における音楽再生終了装置であって、再生中の音楽を終了するための少なくとも一つの特定キーを含むキー入力部と、前記少なくとも一つの特定キーの入力が一定時間以上維持されると、再生中の音楽を終了するように制御する制御部とを有する。【選択図】      図２
2013132059.tif 000002
【特許請求の範囲】
【請求項１】
携帯端末機における音楽再生終了装置であって、
再生中の音楽を終了するための少なくとも一つの特定キーを含むキー入力部と、
前記少なくとも一つの特定キーの入力が一定時間以上維持されると、再生中の音楽を終了するように制御する制御部とを有することを特徴とする携帯端末機における音楽再生終了装置。
【請求項２】
前記少なくとも一つの特定キーは、携帯端末機のオーディオ出力のボリューム調節に使用されるボリューム調節キーであることを特徴とする請求項１に記載の携帯端末機における音楽再生終了装置。
【請求項３】
前記制御部は、前記携帯端末機がロック状態であるとき、前記少なくとも一つの特定キーの入力が所定の時間以上維持されると、バックグラウンドで再生中の音楽を終了するように制御することを特徴とする請求項１に記載の携帯端末機における音楽再生終了装置。
【請求項４】
前記制御部は、前記携帯端末機が待機モード又は特定アプリケーション実行モードであるとき、前記少なくとも一つの特定キーの内の少なくとも一つの入力が所定の時間以上維持されると、バックグラウンドで再生中の音楽を終了するように制御することを特徴とする請求項１に記載の携帯端末機における音楽再生終了装置。
【請求項５】
前記制御部は、前記携帯端末機の前記ボリューム調節キーが所定の時間以上入力されると、バックグラウンドで再生中の音楽を終了するように制御することを特徴とする請求項２に記載の携帯端末機における音楽再生終了装置。
【請求項６】
前記制御部は、前記携帯端末機の前記ボリューム調節キーであるボリュームダウンキーの入力が一定時間以上維持され、ボリュームレベルが“０”となると、バックグラウンドで再生中の音楽を終了するように制御することを特徴とする請求項５に記載の携帯端末機における音楽再生終了装置。
【請求項７】
前記制御部は、前記少なくとも一つの特定キーの入力が所定の時間以上維持されると、バックグラウンドで再生中の音楽アプリケーションを終了するように制御することを特徴とする請求項１に記載の携帯端末機における音楽再生終了装置。
【請求項８】
前記制御部は、前記携帯端末機の前記ボリューム調節キーであるボリュームアップキーとボリュームダウンキーが同時に入力されると、バックグラウンドで再生中の音楽を終了するように制御することを特徴とする請求項２に記載の携帯端末機における音楽再生終了装置。
【請求項９】
携帯端末機における音楽再生終了方法であって、
音楽を再生するステップと、
前記音楽再生の中、少なくとも一つの特定キーの入力が所定の時間以上維持されると、再生中の音楽を終了するステップとを有することを特徴とする携帯端末機における音楽再生終了方法。
【請求項１０】
前記少なくとも一つの特定キーは、携帯端末機のオーディオ出力のボリュームを調節するためのボリューム調節キーから選択されることを特徴とする請求項９に記載の携帯端末機における音楽再生終了方法。
【請求項１１】
前記再生中の音楽を終了するステップは、前記携帯端末機がロック状態であるとき、前記少なくとも一つの特定キーの入力が所定の時間以上維持されると、バックグラウンドで再生中の音楽を終了するステップを含むことを特徴とする請求項９に記載の携帯端末機における音楽再生終了方法。
【請求項１２】
前記再生中の音楽を終了するステップは、前記携帯端末機が待機モード又は特定アプリケーション実行モードであるとき、前記少なくとも一つの特定キーの入力が所定の時間以上維持されると、バックグラウンドで再生中の音楽を終了するステップを含むことを特徴とする請求項９に記載の携帯端末機における音楽再生終了方法。
【請求項１３】
前記再生中の音楽を終了するステップは、前記携帯端末機の前記ボリューム調節キーが所定の時間以上入力されると、バックグラウンドで再生中の音楽を終了するステップを含むことを特徴とする請求項１０に記載の携帯端末機における音楽再生終了方法。
【請求項１４】
前記再生中の音楽を終了するステップは、前記携帯端末機の前記ボリューム調節キーの内のボリュームダウンキーが所定の時間以上入力されると、前記ボリュームダウンキーの入力に対応して再生中の音楽のボリュームレベルを減少させるステップと、
前記ボリュームダウンキーの入力に応答して前記ボリュームレベルが“０”である状態であるか否かを判断するステップと、
前記ボリュームレベルが“０”である状態で、前記ボリュームダウンキーの入力が所定の時間以上維持されると、バックグラウンドで再生中の音楽再生を終了するステップとを含むことを特徴とする請求項１３に記載の携帯端末機における音楽再生終了方法。
【請求項１５】
前記再生中の音楽を終了するステップは、少なくとも一つの特定キーの入力が所定の時間以上維持されると、再生中の音楽アプリケーションを終了するステップを含むことを特徴とする請求項９に記載の携帯端末機における音楽再生終了方法。
【請求項１６】
前記再生中の音楽を終了するステップは、前記携帯端末機の前記ボリューム調節キーであるボリュームアップキーとボリュームダウンキーが同時に入力されるか、又は前記ボリュームアップキーと前記ボリュームダウンキーが所定の時間以上同時に入力されると、バックグラウンドで再生中の音楽を終了するステップを含むことを特徴とする請求項９に記載の携帯端末機における音楽再生終了方法。
【発明の詳細な説明】
【技術分野】
【０００１】
本発明は、携帯端末機における音楽再生終了装置及びその方法に関し、特に、携帯端末機で再生中の音楽を便利に終了することができる携帯端末機における音楽再生終了装置及びその方法に関する。
【背景技術】
【０００２】
携帯端末機で大容量のメモリをサポートするにつれて音楽プレイヤー機能が携帯端末機の基本機能となっている。
またマルチプロセッシングの可能な携帯端末機の場合、バックグラウンドで音楽を再生しながら、他のアプリケーションを遂行することができる。
【０００３】
しかしながら、音楽を終了しなければならない特定状況で、バックグラウンドで再生中の音楽を終了するために、ユーザはいろいろな入力段階を遂行しなければならない。
例えば、音楽アプリケーションを実行させてバックグラウンドで音楽を再生する間、携帯端末機がロック状態となる時、ユーザはバックグラウンドで再生中の音楽を終了するために、まずホームキー又は電源キーを入力してオフしている表示部を活性化させ、当該携帯端末機のロック状態を解除するためのパターン又はパスワードを入力しなければならない。そして携帯端末機のロック状態が解除され待機モードに転換されると、現在実行中である音楽アプリケーションを選択して現在再生中の音楽を停止することができる。
【０００４】
上記のように、表示部が非活性化状態として、ロック状態である場合、ユーザは、表示部の活性化、パスワードの入力、音楽再生アプリケーションの実行、音楽終了を含む４段階を遂行しなければ、バックグラウンドで再生中の音楽を終了することができないという問題があった。
【先行技術文献】
【特許文献】
【０００５】
【特許文献１】韓国登録特許第０７０３４５５号公報
【発明の概要】
【発明が解決しようとする課題】
【０００６】
本発明は上記従来の携帯端末機における問題点に鑑みてなされたものであって、本発明の目的は、携帯端末機で再生中の音楽を便利に終了することができる携帯端末機における音楽再生終了装置及びその方法を提供することにある。
【０００７】
本発明の他の目的は、携帯端末機の現在動作モードとは関係なしにバックグラウンドで再生中の音楽を便利に終了することができる音楽再生終了装置及びその方法、あるいは、携帯端末機の現在動作モードとは関係なしにバックグラウンドで再生中の音楽アプリケーションを便利に終了することができる携帯端末機における音楽再生終了装置及びその方法を提供することにある。
【課題を解決するための手段】
【０００８】
上記目的を達成するためになされた本発明による音楽再生終了装置は、携帯端末機における音楽再生終了装置であって、再生中の音楽を終了するための少なくとも一つの特定キーを含むキー入力部と、前記少なくとも一つの特定キーの入力が一定時間以上維持されると、再生中の音楽を終了するように制御する制御部とを有することを特徴とする。
【０００９】
上記目的を達成するためになされた本発明による携帯端末機における音楽再生終了方法は、携帯端末機における音楽再生終了方法であって、音楽を再生するステップと、前記音楽再生の中、少なくとも一つの特定キーの入力が所定の時間以上維持されると、再生中の音楽を終了するステップとを有することを特徴とする。
【発明の効果】
【００１０】
本発明に係る携帯端末機における音楽再生終了装置及びその方法によれば、携帯端末機の現在状態とは関係なしにバックグラウンドで再生中の音楽を便利に終了することができ、音楽アプリケーション自体を終了することによって、バッテリーを節約することができるという効果がある。
【図面の簡単な説明】
【００１１】
【図１】本発明の実施形態による携帯端末機の構成を示すブロック図である。
【図２】本発明の実施形態による携帯端末機で再生中の音楽を終了する工程を説明するためのフローチャートである。
【発明を実施するための形態】
【００１２】
次に、本発明に係る携帯端末機における音楽再生終了装置及びその方法を実施するための形態の具体例を図面を参照しながら説明する。
【００１３】
添付の図面を参照した下記の説明は、特許請求の範囲の記載及びこれと均等なものの範囲内で定められるような本発明の実施形態の包括的な理解を助けるために提供するものであり、この理解を助けるために様々な特定の詳細を含むが、唯一つの実施形態に過ぎない。従って、本発明の範囲及び趣旨を逸脱することなく、ここに説明する実施形態の様々な変更及び修正が可能あるということは、当該技術分野における通常の知識を有する者には明らかである。
また、明瞭性と簡潔性の観点から、当業者に良く知られている機能や構成に関する具体的な説明は、省略する。
【００１４】
図１は、本発明の実施形態による携帯端末機の構成を示すブロック図である。
図１を参照すると、ＲＦ部１２３は、携帯端末機の無線通信器能を遂行する。
ＲＦ部１２３は、送信される信号の周波数をアップコンバート及び増幅するＲＦ送信器と、受信される信号を低雑音増幅し、周波数をダウンコンバートするＲＦ受信器などを含む。
【００１５】
データ処理部１２０は、送信される信号を符号化及び変調する送信器及び受信される信号を復調及び復号化する受信器などを含む。
すなわち、データ処理部１２０は、モデム（ＭＯＤＥＭ）及びコーデック（ＣＯＤＥＣ）を含むことができる。ここで、コーデックは、パケットデータを処理するデータコーデック及び音声のようなオーディオ信号を処理するオーディオコーデックを含む。
【００１６】
オーディオ処理部１２５は、データ処理部１２０のオーディオコーデックから出力される受信オーディオ信号を再生するか、又はマイクロフォンから発生される送信オーディオ信号をデータ処理部１２０のオーディオコーデックに転送する機能を遂行する。
【００１７】
キー入力部１２７は、数字及び文字情報を入力するためのキー及び各種機能を設定するための機能キーを含む。
また、キー入力部１２７は、音楽再生を終了することができる少なくとも一つの特定キーを含むことができる。
例えば、少なくとも一つの特定キーは、携帯端末機のボリュームを制御するために提供されるボリュームキーとすることができる。
【００１８】
一般的な携帯通信装置（例えばセルラー電話機）のボリューム調節キー（ボリューム増加のための第１のキー（ボリュームアップキー）１２８及びボリューム減少のための第２のキー（ボリュームダウンキー）１２９）は、携帯端末機の側面に位置する。
また、本発明における特定キーは、音楽のために指定された特定キーであり得、音楽再生を実行している時、再生終了キーであり得る。
例えば、携帯端末機が音楽再生タスクを実行している時、電源オンキー（図示せず）が音楽終了キーであり得る。
【００１９】
メモリ１３０は、プログラムメモリ（図示せず）及びデータメモリ（図示せず）を含むことができる。
該当プログラムメモリは、携帯端末機の一般的な動作を制御するためのプログラムを格納することができる。
さらに、本発明の実施形態によれば、プログラムメモリは、特定キーの入力が所定の時間以上維持されるとき、再生中の音楽を終了するように制御するプログラムを格納することができる。
データメモリは、プログラムを遂行する間に発生されるデータを一時格納する機能を遂行する。
【００２０】
制御部１１０は、携帯端末機の全般的な動作を制御する機能を遂行する。
制御部１１０は、本発明の実施形態によれば、携帯端末機で音楽を再生する間、特定キーが所定の時間以上入力されると、再生中の音楽を終了するように制御する。
また、制御部１１０は、本発明の実施形態によれば、携帯端末機がロック状態であるとき、特定キー（例えば、ボリューム調節キー）の入力が所定の時間以上維持されると、バックグラウンドで再生中の音楽を終了するように制御する。
【００２１】
例えば、制御部１１０は、本発明の実施形態によれば、携帯端末機の特定キーであるボリューム調節キーの内のボリュームダウンキーの入力が所定の時間以上継続維持されると、バックグラウンドで再生中の音楽を終了するように制御する。即ち、携帯端末機がロック状態であり、ボリュームダウンキーが所定の時間以上入力されると、ボリュームが“０”に減少し、その後、音楽再生が終了される。
上述したように、再生されている音楽の終了は、携帯端末機でバックグラウンドタスクとして遂行されている音楽再生アプリケーションの終了を含む。
【００２２】
制御部１１０は、本発明の実施形態によれば、携帯端末機が待機モード又は特定アプリケーション実行モードであり、かつ特定キー（例えばボリュームダウンキー）の入力が所定の時間以上維持されるとき、バックグラウンドタスクとして再生中の音楽を終了するように制御する。
【００２３】
また、本発明の実施形態によれば、制御部１１０は、携帯端末機の特定キーであるボリューム調節キーの内のボリュームダウンキーが所定の時間以上入力されると、バックグラウンドタスクとして再生中の音楽を終了するように制御する。
又は、携帯端末機が待機モード又は特定アプリケーション実行モードであり、かつ携帯端末機のボリューム調節キーの内の少なくとも一つが所定の時間以上入力されると、その後、ボリュームレベルは“０”状態となり、音楽再生は終了される。
さらに、制御部１１０は、本発明の実施形態によれば、特定キーの入力が所定の時間以上維持されると、バックグラウンドタスクとして再生中の音楽アプリケーション自体を終了するように制御する。
【００２４】
カメラ部１４０は、画像データを撮影し、撮影された光信号を電気信号に変換するカメラセンサと、カメラセンサから撮影されるアナログ画像信号をデジタルデータに変換する信号処理部と含む。
ここで、カメラセンサは、ＣＣＤ又はＣＭＯＳセンサーであると仮定し、信号処理部は、ＤＳＰ（Ｄｉｇｉｔａｌ  Ｓｉｇｎａｌ  Ｐｒｏｃｅｓｓｏｒ）で実現することができる。
当該カメラセンサ及び信号処理部は、一体型で実現してもよく、又は分離して実現してもよい。
【００２５】
画像処理部１５０は、カメラ部１４０から出力される画像信号を表示部１６０に表示するためのイメージ信号処理（Ｉｍａｇｅ  Ｓｉｇｎａｌ  Ｐｒｏｃｅｓｓｉｎｇ；ＩＰＳ）を遂行し、ＩＳＰは、ガンマ校正、インターポーレーション、空間的変化、イメージ効果、イメージスケール、自動ホワイトバランス（Ａｕｔｏｍａｔｉｃ  Ｗｈｉｔｅ  Ｂａｌａｎｃｅ：ＡＷＢ）、自動露出（Ａｕｔｏｍａｔｉｃ  Ｅｘｐｏｓｕｒｅ：ＡＥ）、及び自動焦点（Ａｕｔｏｍａｔｉｃ  Ｆｏｃｕｓ：ＡＦ）のような機能を遂行する。
【００２６】
したがって、画像処理部１５０は、カメラ部１４０から出力される画像信号をフレーム単位で処理し、フレーム画像データを表示部１６０の特性及びサイズに合せて出力する。
また画像処理部１５０は、画像コーデックを含み、表示部１６０に表示されるフレーム画像データを所定の方式で圧縮するか、圧縮されたフレーム画像データを元来のフレーム画像データに復元する機能を遂行する。
【００２７】
ここで、画像コーデックは、ＪＰＥＧ（Ｐｈｏｔｏｇｒａｐｈｉｃ  Ｅｘｐｅｒｔｓ  Ｇｒｏｕｐ）コーデック、ＭＰＥＧ４（Ｍｏｖｉｎｇ  Ｐｉｃｔｕｒｅ  Ｅｘｐｅｒｔｓ  Ｇｒｏｕｐ  ４）コーデック、ウェーブレット（Ｗａｖｅｌｅｔ）コーデックなどを含むことができる。
画像処理部１５０は、オンスクリーンディスプレイ（Ｏｎ−Ｓｃｒｅｅｎ  Ｄｉｓｐｌａｙ：ＯＳＤ）機能を含み、制御部１１０の制御の下に表示される画面サイズに従ってＯＳＤデータを出力することができる。
【００２８】
表示部１６０は、画像処理部１５０から出力される画像信号を画面に表示し、制御部１１０から出力されるユーザデータを表示する。
表示部１６０は、液晶ディスプレイ（Ｌｉｑｕｉｄ  Ｃｒｙｓｔａｌ  Ｄｉｓｐｌａｙ：ＬＣＤ）を使用することができ、このような場合、表示部１６０は、ＬＣＤ制御部（ＬＣＤ  ｃｏｎｔｒｏｌｌｅｒ）、画像データを格納することができるメモリ及びＬＣＤ表示素子などを含むことができる。
ここで、ＬＣＤをタッチスクリーン（ｔｏｕｃｈ  ｓｃｒｅｅｎ）方式で実現する場合、入力部として機能することもでき、この時、表示部１６０にはキー入力部１２７のようなキーを表示することができる。
【００２９】
上述したような携帯端末機で再生中の音楽を終了する動作を、図２を参照して詳細に説明する。
図２は、本発明の実施形態による携帯端末機で再生中の音楽を終了する工程を説明するためのフローチャートである。
図２を参照すると、制御部１１０は、ステップＳ２０１において、携帯端末機をロック状態に転換し、携帯端末機がロック状態であっても音楽をバックグラウンドで再生する。
【００３０】
音楽をバックグラウンドで再生する間、制御部１１０は、特定キーが入力されたか否かを判断する。
該当特定キー（例えば、特定キーは、ボリュームダウンキーであり得る）が入力されると、制御部１１０は、ステップＳ２１５でこれを感知してタイマーを開始するステップＳ２２０に進行する。
制御部１１０は、特定キーの入力が維持されているかどうかを判断し（ステップＳ２２５）、維持されていないと、この工程を終了する。
【００３１】
しかし、特定キーの入力が維持されていると、制御部１１０は特定キー（ボリュームダウンキー）に応答してボリュームを減少するステップＳ２３０に進行する。
ステップＳ２３０において、制御部１１０は、ボリュームレベルが“０”に減少したかどうかを判断し、“０”に減少していないと、特定キーの入力が維持されているかどうかを判断するステップＳ２２５にもどる。
【００３２】
一方、ボリュームレベルが“０”に減少されると、制御部１１０はステップＳ２０３でこれを感知し、特定キー（例えばボリュームダウンキー）が所定の時間以上入力されているかどうかを判断し（ステップＳ２０４）、そうでない場合、特定キーの入力が維持されているか否かを判断するステップＳ２２５にもどる。
しかし、特定キーの入力が所定の時間以上維持されると、制御部１１０はステップＳ２０４でこれを感知して、バックグラウンドタスクとして再生されている音楽を終了するステップＳ２０５に進行する。
【００３３】
ステップＳ２０５において、制御部１１０は、ボリュームレベルが“０”である状態でボリュームダウンキーの入力が所定の時間以上維持されるとき、再生中の音楽を一時停止することでなく、音楽アプリケーション自体を終了させることもできる。
【００３４】
図２のような本発明の実施形態では、携帯端末機がロック状態であるとき、バックグラウンドで再生中の音楽を特定キーの入力を通じて終了することを例として説明したが、携帯端末機のロック状態だけでなく、携帯端末機の待機モード又は携帯端末機の特定アプリケーション実行モードでのように携帯端末機の現在動作モードとは関係なしに、特定キーの入力を通じてバックグラウンドでの再生中の音楽を終了することができる。
【００３５】
また本発明の実施形態では、特定キー、例えばボリュームダウンキーの入力を通じてバックグラウンドで再生中の音楽を終了することを例として説明したが、ボリュームアップキーとボリュームダウンキーの同時入力、又はボリュームアップキーとボリュームダウンキーが所定の時間以上同時入力された場合にもバックグラウンドでの再生中の音楽を終了することができる。
【００３６】
尚、本発明は、上述の実施形態に限られるものではない。本発明の技術的範囲から逸脱しない範囲内で多様に変更実施することが可能である。
【符号の説明】
【００３７】
１１０    制御部
１２０    データ処理部
１２３    ＲＦ部
１２５    オーディオ処理部
１２７    キー入力部
１２８    第１のキー（ボリュームアップキー）
１２９    第２のキー（ボリュームダウンキー）
１３０    メモリ
１４０    カメラ部
１５０    画像処理部
１６０    表示部
【図１】
2013132059.tif 000003
【図２】
2013132059.tif 000004